(57)【要約】【課題】給電側と受電側との接触を要することなくトレー上の自動車に備えられる蓄電池の充電を行うことのできる機械式駐車場装置の提供。【解決手段】自動車が載置される複数のトレー２と、これらのトレー２を入出庫口と複数の格納スペース３との間で移送する移送手段とを備えたものにあって、駐車中の時間を活用して自動車（Ｃ）の充電作業を行う機械式駐車場装置において、格納スペースの少なくとも１つに、高周波電磁装置６に接続される１次コイル８を備えるとともに、トレーの少なくとも１つに、１次コイルと対向可能な２次コイル９、及び一端がこの２次コイル、他端が自動車側に接続可能なケーブル１０を備え、高周波電磁装置から出力した電力を電磁誘導の原理にて１次コイルから２次コイルに非接触にて伝達し、自動車への充電を行うようにしたものである。【選択図】図１
2011080260.tif 000002
【特許請求の範囲】
【請求項１】
自動車が載置される複数のトレーと、これらのトレーを入出庫口と複数の格納スペースとの間で移送する移送手段とを備えたものにあって、駐車中の時間を活用して自動車の充電作業を行う機械式駐車場装置において、
前記格納スペースの少なくとも１つに、高周波電磁装置に接続される１次コイルを備えるとともに、前記トレーの少なくとも１つに、前記１次コイルと対向可能な２次コイル、及び一端がこの２次コイル、他端が自動車側に接続可能なケーブルを備えたことを特徴とする機械式駐車場装置。
【請求項２】
前記１次コイルを、特定の前記格納スペースに備えるとともに、前記２次コイル、及び前記ケーブルを、特定の前記トレーに備え、かつ、前記入出庫口に、前記特定のトレーを呼び出す呼び出し手段を設けたことを特徴とする請求項１記載の機械式駐車場装置。
【発明の詳細な説明】
【技術分野】
【０００１】
本発明は、駐車時間中に電気式自動車の蓄電池の充電を行う機械式駐車場装置に関するものである
【背景技術】
【０００２】
近時、環境問題に関する関心の高まりから、排気ガスを発生する従来の化石燃料利用の自動車に代えて、電気式自動車の開発がなされ、今後この傾向はさらに顕著になるものと見込まれている。このような電気式自動車は、排気ガスを発生しないクリーンな特徴がある反面で、エネルギー源としての電力を蓄電池に充電するために比較的長時間を要するという欠点を有しており、この充電作業は自動車を利用しない待ち時間や、夜間等の駐車時間に行うことになる。また、早い時点での電気式自動車の普及が見込まれる都市部等では、狭隘な空間を立体的に利用し空間効率良く自動車を収納する機械式駐車場装置が一般的なものとなっている。そこで、従来、駐車中の時間を活用して自動車の充電作業を行う機械式駐車場装置が提案されている。すなわち自動車が搭載される各トレーに、充電器、及び受電側接点を備えるとともに、これらのトレーが格納される各格納スペースに、電源に接続された給電側接点を備え、トレーが格納スペースに格納されたとき、受電側接点と給電側接点とを接続し、自動車への充電が行われるようにしたものである（例えば、特許文献１参照）。
【先行技術文献】
【特許文献】
【０００３】
【特許文献１】特２９０８９３９号（段落番号００１４〜００２０、図１）
【発明の概要】
【発明が解決しようとする課題】
【０００４】
しかしながら、前述した従来のものは、格納スペース側の給電側接点とトレー側の受電側接点とを接続する際、これらの給電側接点、及び受電側接点が損傷することを防止するために低速でトレーを移動させる、いわゆる接続運転を要し、入庫動作に時間がかかるという問題があった。また、低速にて給電側接点と受電側接点との接続動作を行うとしても、この動作を繰り返すことで経年的に給電側接点、及び受電側接点に劣化が生じることを防ぐことはできず、部品交換を要し、保守コストの向上を招くという問題もあった。さらに、給電側接点、及び受電側接点にほこりや汚れが付着し、接触不良を起こす恐れもあった。更に、給電側接点と受電側接点の接続動作は、その接点の形状が凸と凹の形であるため、動作方向が一方向のみであった。そのため、格納スペースの端部でのみでしか充電ができなかった。
【０００５】
本発明は、前述した従来技術における実状からなされたもので、その目的は、給電側と受電側との接続を要することなくトレー上の自動車に備えられる蓄電池の充電を行うことのできる機械式駐車場装置を提供することにある。
【課題を解決するための手段】
【０００６】
前記目的を達成するために、本発明は、自動車が載置される複数のトレーと、これらのトレーを入出庫口と複数の格納スペースとの間で移送する移送手段とを備えたものにあって、駐車中の時間を活用して自動車の充電作業を行う機械式駐車場装置において、前記格納スペースの少なくとも１つに、高周波電磁装置に接続される１次コイルを備えるとともに、前記トレーの少なくとも１つに、前記１次コイルと対向可能な２次コイル、及び一端がこの２次コイル、他端が自動車側に接続可能なケーブルを備えたことを特徴としている。
【０００７】
このように構成した本発明では、駐車中の時間を活用して自動車に備えられる蓄電池の充電作業を行う場合、入庫時に、当該自動車を２次コイルを有するトレーに乗り入れるとともに、一端が２次コイルに接続されるケーブルの他端を自動車側に接続する。次いで、トレーを移送手段により高周波電磁装置に接続される１次コイルを備えた格納スペースに格納し、１次コイルと２次コイルとを対向状態とする。この状態で高周波電磁装置から高周波電力を１次コイルに送り、電磁誘導の原理で２次コイルに電力を伝達し、ケーブルを介して自動車への充電を行う。これによって、給電側と受電側との接続を要することなくトレー上の自動車に備えられる蓄電池の充電を行うことができる。
【０００８】
また、前記１次コイルを、特定の前記格納スペースに備えるとともに、前記２次コイル、及び前記ケーブルを、特定の前記トレーに備え、かつ、前記入出庫口に、前記特定のトレーを呼び出す呼び出し手段を設けたことを特徴としている。
【０００９】
このように構成したものでは、駐車中の時間を活用して自動車の充電作業を行う場合、入庫時に、呼び出し手段により特定のトレー、すなわち充電用トレーを呼び出し、自動車をこのトレーに乗り入れるとともに、ケーブルを自動車側に接続する。この状態で充電用トレーを移送手段により特定の格納スペース、すなわち充電用格納スペースに格納すると、１次コイルと２次コイルとが対向する。この状態で高周波電力を１次コイルに送り、電磁誘導の原理で２次コイルに電力を伝達し、ケーブルを介して自動車への充電を行う。このように、特定のトレー、及び特定の格納スペースにのみ充電設備を設けることで、充電設備の利用効率を高めることができる。
【発明の効果】
【００１０】
本発明によれば、給電側と受電側との接続を要することなく、すなわち、非接触にてトレー上の自動車に備えられる蓄電池の充電を行うことができ、これによって、非充電トレーの場合と同等のトレー移動速度および移動方向を可能とし、運転効率の向上を図ることができる。また、接続に伴う給電側、及び受電側機器の経年的な劣化がなく、装置の耐久性を高めることができる。さらに、ほこりや汚れの付着に伴う動作不良を低減し、装置の信頼性の向上を図ることもできる。
【図面の簡単な説明】
【００１１】
【図１】本発明に係る機械式駐車場装置の一実施例を示す構成図である。
【図２】本実施例における機械式駐車場装置の要部拡大斜視図である。
【図３】本実施例における機械式駐車場装置の概略構成図である。
【図４】本実施例における機械式駐車場装置の概略上面図である。
【発明を実施するための形態】
【００１２】
以下、本発明に係る機械式駐車場装置の実施例を図に基づき説明する。
【００１３】
本実施例の機械式駐車場装置は、図３及び図４に示すように、平面循環式と称されるものであり、地上に入出庫口１、地下スペースに、第１の格納階層Ａ、及び第２の格納階層Ｂがそれぞれ設置されている。また、第１の格納階層Ａ、及び第２の格納階層Ｂには、自動車が載置される複数のトレー２がマトリックス状に配置されるとともに、これらのトレー２を格納スペース３に縦送り又は横送りするトレー送り機構４が設置されており、これらのトレー２が、トレー送り機構４により、前後及び左右の４方向、あるいは前後又は左右の２方向に送られるようになっている。さらに、各格納階層Ａ、Ｂの循環移送路における所定位置との間でトレー２を受け渡し可能な昇降台５１を有し、地上の入出庫口１と地下の収納階層Ａ、Ｂとの間で昇降可能なリフト５が設けられている。
【００１４】
なお、前述したトレー２を入出庫口１と複数の格納スペース３との間で移送する移送手段は、トレー送り機構４およびリフト５とからなっている。また、図２に示すように、トレー２下面の四隅にそれぞれ横方向車輪２１、及び縦方向車輪２２が近接して軸支されるとともに、格納階層Ａ、Ｂに、トレー２の横方向、及び縦方向の各車輪２１、２２が走行可能な横方向レール４１、及び縦方向レール４２がマトリックス状に敷設される。そして、これら横方向レール４１、及び縦方向レール４２で区画された複数の格納スペース３上に、それぞれトレー送り機構４の図示しないトレー送り手段が設置される。さらに、複数の格納スペース３のうち少なくとも１箇所（図４では５箇所）にトレー２のない空スペースが設定され、その他の格納スペース上に複数のトレー２が配置される。
【００１５】
そして、例えば格納階層Ａに設けられた特定の格納スペース（以下、充電用格納スペース３ａと称する）に、図１及び図２に示すように、電源に接続される高周波電磁装置６と、この高周波電磁装置６にケーブル７を介して接続される１次コイル８とが備えられている。
【００１６】
また、特定のトレー（以下、充電用トレー２ａと称する）に、１次コイル８と対向可能な２次コイル９と、一端がこの２次コイル９、他端が電気自動車Ｃ側に接続可能なケーブル１０とが備えられている。なお、ケーブル１０の他端にはソケット１０１が備えられ、電気自動車Ｃの蓄電池側のソケットに差し込み可能となっている。
【００１７】
さらに、入出庫口１に、図３に示すように、充電用トレー２ａを呼び出す呼び出し手段、例えばトレー操作盤１１が備えられている。
【００１８】
本実施例にあっては、電気自動車Ｃを入庫し、充電する場合、トレー操作盤１１を操作して充電用トレー２ａを、入出庫口１に呼び出す。この呼び出しに応じ、図示されない制御手段に予め格納されたプログラムに従って、トレー送り機構４のトレー送り手段が作動され、トレー２を水平面上の縦方向、又は横方向に送り駆動する。すなわち、トレー２の空スペースに隣接する１箇所、又は複数箇所の格納スペース３のトレー送り手段が起動され、その格納スペース３上の１台、又は複数台のトレー２が横方向、又は縦方向に送られ、トレー２は横方向車輪２１、又は縦方向車輪２２の横方向レール４１上、又は縦方向レール４２上の走行により移動される。この移動により新たに空いた空スペースに向けてさらに他のトレー２、又はトレー２群が順次移動される。このように、１台、又は複数台のトレー２がトレー２の空スペースに向けて移動される動作が繰り返されて、充電用トレー２ａはリフト５まで移動される。充電用トレー２ａがリフト５の昇降台５１に載せられると、昇降台５１は入出庫口１まで上昇する。この状態で電気自動車Ｃを充電用トレー２ａに乗り入れる。ここで、ケーブル１０のソケット１０１を電気自動車Ｃの蓄電池側のソケットに差し込み接続する。この後、昇降台５１を充電用格納スペース３ａのある第１の格納階層Ａまで下降し、トレー送り機構４のトレー送り手段が作動され、充電用トレー２ａを水平面上の縦方向、又は横方向に送り駆動し、充電用格納スペース３ａに位置させる。これに応じて充電用格納スペース３ａ側の１次コイル８と充電用トレー２ａ側の２次コイル９とが対向状態となる。この状態で高周波電磁装置６から高周波電力が１次コイル８に送り、電磁誘導の原理で２次コイル９に電力を伝達し、２次コイルに接続されたケーブル１０を介して電気自動車Ｃの蓄電池の充電が行われる。
【００１９】
また、電気自動車Ｃの出庫要請があったときは、通常の操作と同様に出庫作業が行われる。すなわち、トレー操作盤１１の操作に応じ、前述と同様、１台、又は複数台のトレー２が空区画に向けて縦方向、又は横方向に向けて移動するトレー２の送り動作が繰り返されることにより、充電用トレー２ａはリフト５まで移動される。そして、充電用トレー２ａがリフト５の昇降台５１に載せられると、昇降台５１は入出庫口１まで上昇し、この後、電気自動車Ｃは出庫される。
【００２０】
本実施例によれば、給電側と受電側との接触を要することなく、すなわち、非接触にて充電用トレー２ａ上の電気自動車Ｃに備えられる蓄電池の充電を行うことができ、これによって、非充電トレーの場合と同等のトレー移動速度と移動方向を可能とし、すなわち、従来のような低速で方向の限定された接続運転を要することがなく、したがって、運転効率の向上を図ることができる。また、接続に伴う給電側、及び受電側機器の経年的な劣化がなく、装置の耐久性を高めることができる。さらに、ほこりや汚れの付着に伴う動作不良を低減し、装置の信頼性の向上を図ることもできる。さらにまた、特定のトレーである充電用トレー２ａ、及び特定の格納スペースである充電用格納スペース３ａにのみ充電設備を設けることで、充電設備の利用効率を高め、電気自動車利用者の利便性を高めるとともに、無駄な設備投資を防ぎ、コストの低減を図ることができる。
【００２１】
なお、前述した実施例では、機械式駐車場装置に１台の充電用トレー２ａ、及び１つの充電用格納スペース３ａを設けた例を示したが、本発明はこれに限らず、ニーズに応じて任意に充電用トレー、及び充電用格納スペースの数を設定することができる。すなわち、複数の充電用トレー、及び複数の充電用格納スペースを設けてもよいし、機械式駐車場装置のすべてのトレー、及びすべての格納スペースに充電設備を設けてもよい。また、充電用トレーが充電用格納スペースより多くても良い。
【符号の説明】
【００２２】
１  入出庫口
２  トレー
２ａ  充電用トレー
３  格納スペース
３ａ  充電用格納スペース
４  トレー送り機構
５  リフト
６  高周波電磁装置
７  ケーブル
８  １次コイル
９  ２次コイル
１０  ケーブル
１１  トレー操作盤
２１  横方向車輪
２２  縦方向車輪
４１  横方向レール
４２  縦方向レール
５１  昇降台
１０１  ソケット
Ａ  第１の格納階層
Ｂ  第２の格納階層
Ｃ  電気自動車
【図１】
2011080260.tif 000003
【図２】
2011080260.tif 000004
【図３】
2011080260.tif 000005
【図４】
2011080260.tif 000006